(57)【要約】【課題】サイズ検知用のデータを記憶するメモリが不要であり、それでいて読み取りに時間がかかることのないカラー画像読取装置を提供する。【解決手段】原稿を原稿台にセットし（ＳＴ１）、濃度、解像度、用紙サイズ等の読み取り条件を設定する（ＳＴ２）。プラテンカバーが３０度以内に閉められると（ＳＴ３）、これを検出して、画像読取部のランプを点灯し、Ｒ信号検出部１１Ｒを動作させて、原稿を主操作方向にスキャンして、波形データを得、シェーディングＲＡＭ１６Ｒに記憶する。この波形データにより、原稿幅を検知する（ＳＴ４）。続いて、読み取り開始指示があると、シェーディングＲＡＭ１６Ｒにのみ、シェーディング補正データの取り込み（再書き込み）を行い（ＳＴ６）、Ｒ信号処理部１１Ｒ、Ｇ信号処理部１１Ｇ、Ｂ信号処理部１１Ｂを動作させて、原稿読み取り処理に入る（ＳＴ７、ＳＴ８）。【選択図】      図４
2004349996.tif 000002
【特許請求の範囲】
【請求項１】
原稿サイズ検知時、複数の色成分の出力データのうち、一部の色成分の出力データの取り込みを行って、その出力データにより、原稿サイズを検出し、残りの色成分の出力データについては、取り込みを行わないように制御する制御手段を備えることを特徴とするカラー画像読取装置。
【請求項２】
前記制御手段は、原稿サイズ検知時、残りの色成分の出力データについては、取り込み用メモリに対するアクセス制限をかけることを特徴とする請求項１記載のカラー画像読取装置。
【請求項３】
原稿サイズ検知時の出力データの取り込み先は、シェーディング補正データが記憶されるシェーディングメモリであることを特徴とする請求項１又は請求項２記載のカラー画像読取装置。
【請求項４】
前記制御手段は、所定のタイミングにて、システムメモリから複数の色成分のシェーディング補正データを前記シェーディングメモリに取り込むべく制御するとともに、原稿サイズ検知後には、原稿サイズ検知用として出力データの取り込みを行った一部の色成分のみについて、前記システムメモリからシェーディング補正データの再取り込みを行うべく制御することを特徴とする請求項３記載のカラー画像読取装置。
【発明の詳細な説明】
【０００１】
【発明の属する技術分野】
この発明は、カラー画像読取装置に関する。
【０００２】
【従来の技術】
従来、複写機、ファクシミリ装置などの画像読み取り時において、読取原稿サイズを検知するために、原稿をガラス基板上にセットし、ＦＢＳ読み取り時に、プラテンカバーが閉まる間際に光源を点灯させて、ラインイメージセンサにて波形データを取り込み、この波形データから原稿サイズ（主走査方向の幅）の検知を行うものがある。
【０００３】
他方、画像読取装置においては、読取機構部に白基準板を設け、読み取り開始指示がなされると、光源を点灯させて、ラインイメージセンサで白基準板をスキャンして得られた読み取りデータをシェーディング補正データとして採集し、シェーディングメモリ（ＲＡＭ）に格納し、実際の原稿読み取り時に、読み取りデータをシェーディングＲＡＭに格納してあるシェーディング補正データにより、データ補正するものが知られている（例えば、特許文献１参照）。
【０００４】
【特許文献１】
特開２００１−１４８７６５号公報
【０００５】
【発明が解決しようとする課題】
上記した従来装置において、サイズ検知のためのプラテンカバーを閉める間際の光源点灯時のラインイメージセンサの読み取りデータは、メモリ容量を効率的に使用するために、シェーディング補正データを記憶しておくメモリに一時記憶させることが考えられる。つまり、サイズ検知用のデータを記憶するメモリとシェーディング補正データ用のメモリを兼用できる。しかしながら、このような兼用を行うと、サイズ検知用のデータの取り込みのために、シェーディング補正データが書き換えられてしまう。したがって、原稿読み取り前に、再度シェーディング補正データの取り込みを行う必要がある。
【０００６】
特に、カラー読み取りの場合、ＲＧＢの３つの色成分について、それぞれシェーディングメモリを備え、原稿読み取り時、各色成分毎にシェーディング補正を行う。それゆえ、上記原稿サイズ検知時に、全ての色成分について、シェーディング補正データの書換え（サイズ検知用波形データの取り込み）を行うと、原稿読み取り直前に、全ての色成分について、再度シェーディング補正データの再書込みを行う必要があり、原稿読み取りに時間がかかるという問題がある。
【０００７】
この発明は、そのような問題点に着目してなされたものであって、サイズ検知用のデータを記憶するメモリが不要であり、それでいて、読み取りに時間がかかることのないカラー画像読取装置を提供することを目的としている。
【０００８】
【課題を解決するための手段】
この発明のカラー画像読取装置は、原稿サイズ検知時、複数の色成分の出力データのうち、一部の色成分の出力データの取り込みを行って、その出力データにより、原稿サイズを検出し、残りの色成分の出力データについては、取り込みを行わないように制御する制御手段を備える。
【０００９】
この発明のカラー画像読取装置において、前記制御手段は、原稿サイズ検知時、残りの色成分の出力データについては、取り込み用メモリに対するアクセス制限をかけることができる。
【００１０】
また、この発明のカラー画像読取装置において、原稿サイズ検知時の出力データの取り込み先は、シェーディング補正データが記憶されるシェーディングメモリ（ＲＡＭ）である。
【００１１】
また、この発明のカラー画像読取装置において、前記制御手段は、所定のタイミングにて、システムメモリから複数の色成分のシェーディング補正データを前記シェーディングメモリに取り込むべく制御するとともに、原稿サイズ検知後には、原稿サイズ検知用として出力データの取り込みを行った一部の色成分のみについて、前記システムメモリからシェーディング補正データの再取り込みを行うべく制御することができる。
【００１２】
【発明の実施の形態】
以下、実施の形態により、この発明を更に詳細に説明する。この実施形態に係るカラー画像読取装置の構成例のブロック図を図１に示す。
【００１３】
図１において、ＭＰＵ１（中央処理装置）は、当該装置全体を制御する機能を有する。また、ＭＰＵ１は、後述するように、プラテンカバーが閉められると、これを検出して、画像読取部のランプを点灯し、Ｒ信号検出部を動作させて、原稿を主走査方向にスキャンして、波形データを得、この波形データをシェーディングＲＡＭに記憶するとともに、この波形データから原稿幅を求めるように制御する機能を有する。
【００１４】
このＭＰＵ１には、システムバス８を介して画像読取部２、操作部３、表示部４、ＲＯＭ５、ＲＡＭ６、プリンタ７が接続されている。
【００１５】
画像読取部２は、後記の３ラインセンサからの原稿画像の信号を処理する。具体的には、３ラインセンサの出力をアナログ増幅するとともに、デジタルデータを多値化出力する。この画像読取部２には、シェーディング補正データを記憶するシェーディングＲＡＭ１６を備えている。操作部３は、コピーの開始等を指示するスタートキー、コピー枚数や部数等を入力するためのテンキー等を有する。表示部４は、操作部３の操作により入力されたコピー枚数や部数、プリンタ７のトナー残量等の種々の情報を表示する。この表示部４としては、例えばＬＣＤ（液晶表示装置）が用いられる。
【００１６】
ＲＯＭ５は、この装置全体の動作を制御するためのプログラム等を予め記憶してある。ＲＡＭ６は、ＭＰＵ１による制御に必要なデータ及び制御動作時に一時記憶が必要なデータ等を記憶する。このＲＡＭ６には、生産時に得られるシェーディング補正データを記憶するシェーディングデータ記憶部６ａを有する。プリンタ７は、３ラインセンサが読み取った画像データを用紙にカラー又はモノクロで印字する。
画像読取部２は、図２に示すように、Ｒ信号処理部１１Ｒと、Ｇ信号処理部１  １と、Ｂ信号処理部１１Ｂと、色変換部１８と、画像処理部１９とを備えている。
【００１７】
Ｒ信号処理部１１Ｒは、ラインイメージセンサ１２Ｒと、アナログフロントエンド（ＡＦＥ）回路１３Ｒと、Ａ／Ｄ変換部１４Ｒと、シェーディング補正回路１５Ｒと、ライン補正メモリ１７Ｒとを備えている。Ｇ信号処理部１Ｇは、ラインイメージセンサ２Ｇと、アナログフロントエンド回路１３Ｇと、Ａ／Ｄ変換部１４Ｇと、シェーディング補正回路１５Ｇと、ライン補正メモリ１７Ｇとを備えている。また、Ｂ信号処理部１１Ｂは、ラインイメージセンサ１２Ｂと、アナログフロントエンド回路１３Ｂと、Ａ／Ｄ変換部１４Ｂと、シェーディング補正回路１５Ｂとを備えている。ここで、Ｂ信号処理部１１Ｂにライン補正メモリを備えていないのは、Ｂ信号を基準にして他のＲ信号、Ｇ信号を遅延するためである。  なお、各シェーディング補正回路１５Ｒ、１５Ｇには、それぞれシェーディングＲＡＭ１６Ｒ、１６Ｇ、１６Ｂを備えている。
【００１８】
ラインイメージセンサ１２Ｒは、ＣＣＤで構成され、タイミング信号が加えられるたびに、原稿の１走査ラインの画像のＲ信号を分離して読み取り、所定間隔をおいて、次の１走査ラインの画像のＲ信号を順次に読み取り、読み取った１走査ラインの画像データを出力する。アナログフロントエンド回路１３Ｒは、ラインイメージセンサ１２Ｒの出力を受けて、アナログ増幅する。Ａ／Ｄ変換部１４Ｒは、アナログフロントエンド回路１３Ｒのアナログ出力を受け、デジタル信号に変換する。シェーディング補正回路１５Ｒは、ここではシェーディングＲＡＭ１６Ｒを含み、シェーディングＲＡＭ１６Ｒには基準板（白基準板）読み取り時のＡ／Ｄ変換部１４Ｒの出力をシェーディング補正データとして記憶している。このシェーディングＲＡＭ１６Ｒには、原稿幅検知時のみ、Ｒ信号処理部１１Ｒの取り込み波形データを記憶する。シェーディング補正回路１５Ｒは、原稿読み取り時のＡ／Ｄ変換部１４Ｒの出力をシェーディング補正データにより補正して出力する。ライン補正メモリ１７Ｒは、シェーディング補正回路１５Ｒの出力を受けて、所定ライン分遅延させて出力する。他のＧ信号処理部１１Ｇ、Ｂ信号処理部１１Ｂを構成する各回路も同様である。
【００１９】
仮に、ラインイメージセンサ１２Ｒ、１２Ｇ、１２Ｂのそれぞれの間隔が４走査ライン分に相当するとすれば、シェーディング補正回路１５Ｒから１走査ラインのＲ信号が出力されてから、４ライン分遅れてシェーディング補正回路１５Ｇから１走査ラインのＧ信号が出力され、更に４ライン分遅れてシェーディング補正回路１５Ｂから１走査ラインのＢ信号が出力される。従って、Ｒ信号はライン補正メモリ１６Ｒで８ライン分遅延されて、Ｇ信号はライン補正メモリ１７Ｇで４ライン分遅延されて、それぞれ色変換部１８に入力される。そのため、色変換部７に入力されるＲ，Ｇ，Ｂの各信号は同一走査ライン上のものとなる。
【００２０】
色変換部１８では、Ｒ，Ｇ，Ｂの色信号がＬ＊  ，ａ＊  ，ｂ＊  に変換される。色変換部１８でＬ＊  ，ａ＊  ，ｂ＊  に変換されたデータは、画像処理部１９を経て、プリンタ７に供給される。
【００２１】
ここで、システムメモリであるＲＡＭ６のシェーディングデータ記憶部６ａと、画像読取部２のシェーディングＲＡＭ１６Ｒ、１６Ｇ、１６Ｂの関係について説明する。シェーディングデータ記憶部６ａは、図５に示すように、Ｒ信号のシェーディングデータ記憶部６ａＲと、Ｇ信号のシェーディングデータ記憶部６ａＧと、Ｂ信号のシェーディングデータ記憶部６ａＢとから構成されている。これらのデータ記憶部６ａＲ、６ａＧ、６ａＢは、電源が断しても記憶内容が消去しないメモリ（例えば、不揮発性メモリ等）で構成されている。
【００２２】
一方、シェーディングＲＡＭ１６Ｒ、１６Ｇ、１６Ｂは、電源が断すると記憶内容が消去する構造としている。工場出荷時に、例えば白基準板をスキャンして得られたシェーディング補正データがシェーディング補正ＲＡＭ１６Ｒ、１６Ｇ、１６Ｂに記憶され、更に図５の上向きの矢印方向でシェーディング補正ＲＡＭ１６Ｒ、１６Ｇ、１６Ｂに記憶されている各シェーディング補正データが、システムＲＡＭ６のシェーディングデータ記憶部６ａＲ、６ａＧ、６ａＢに格納される。格納されたシェーディング補正データは、基本的には電源のＯＮ／ＯＦＦ等にかかわらず変更しない。しかし当然ながら、変更することができる。シェーディングＲＡＭ１６Ｒ、１６Ｇ、１６Ｂには、必要なタイミングにシェーディングデータ記憶部６ａＲ、６ａＧ、６ａＢから、図５の下向き矢印方向でシェーディング補正データを取り込む。必要なタイミングとは、例えば電源投入時、読み取り開始直前等である。
【００２３】
図３は、実施形態画像読取装置の画像読取部２のＦＢＳ読取機構の概略を示す断面図である。ケース体３０の上部には、ガラス板で形成される原稿台３１が設けられ、この原稿台３１上に原稿３２が載置される。原稿台３１左方は、一部が絶縁板３４で覆われ、内側に向けて、白基準板３３が設けられている。ランプ３５及び反射ミラー３６を含む走査ユニット３７が副走査方向（左右方向）に移動自在に構成されている。更に、ケース体３０内に、反射ミラーユニット３８、集光レンズ３９及びＣＣＤラインイメージセンサ４０が設けられている。ＣＣＤラインイメージセンサ４０は、Ｒ、Ｇ、Ｂの３ラインセンサである。
【００２４】
原稿３２のサイズを検出する場合には、走査ユニット３７を反射ミラー３６への入光部が矢符Ａの位置となるまで移動させ、ランプ３５を点灯させると、ランプ３５の光が原稿３２で反射して、反射ミラー３６に入射する。この光が、反射ミラー３６で反射して、更に反射ミラーユニット３８、集光レンズ３９を経て、ＣＣＤラインイメージセンサ４０に入る。ここで、矢符Ａ位置で原稿３２を主走査方向（紙面の表裏）に走査して得られた波形データがシェーディングＲＡＭ回路１６Ｒに記憶される。この波形データに基づいて、原稿サイズを検出する。シェーディング補正データを取り込む場合には、走査ユニット３７を反射ミラー３６の入光部が矢符Ｂの位置となるまで移動させる。
【００２５】
次に、この実施形態画像読取装置のＦＢＳによる原稿読取処理を図４に示すフロー図を参照して説明する。ステップＳＴ１においては、原稿をＦＢＳの原稿台３１上にセットする。続いて、ステップＳＴ２へ移行する。ステップＳＴ２においては、操作部３より、用紙サイズ、解像度、濃度などの読み取り条件を設定する。次に、ステップＳＴ３へ移行する。ステップＳＴ３においては、プラテンカバー（図示省略）が３０度以内に閉められたか否か判定する。オペレータがＦＳＢ読み取りをスタートさせるため、プラテンカバーを閉じるように下げると、プラテンカバーの角度センサが３０度以下の角度となったことを検出すると、判定ＹＥＳとなり、ステップＳＴ４へ移行する。
【００２６】
ステップＳＴ４においては、読み取り用光学系を原稿端まで移動させ、ランプを点灯させるとともに、Ｒ信号処理部１Ｒのみを動作させ、ラインイメージセンサ１２Ｒで得た主操作方向のＲ成分の波形データを取り込み、シェーディングＲＡＭ１６Ｒに記憶する。この時、シェーディングＲＡＭ１６Ｇと１６Ｂには、Ｇ成分、Ｒ成分の波形データは取り込まない。次に、ステップＳＴ５へ移行する。
【００２７】
ステップＳＴ５においては、読み取り開始指示有りか否か判定する。この判定は、オペレータが操作部１２の読み取りのスタートキーを操作したか否かに基づいて行われる。スタートキーが操作されると、次に、ステップＳＴ６へ移行する。ステップＳＴ６において、シェーディングＲＡＭ１６Ｒにシェーディング補正データの取り込み（再書き込み）を行う。シェーディングＲＡＭ１６Ｒには、原稿サイズ検知用の波形データが記憶されているが、これに代えて、システムＲＡＭ６のシェーディングデータ記憶部６ａＲよりＲ成分のシェーディング補正データが書き込まれる。この場合、サイズ検出用に使用していたシェーディングＲＡＭ１６ＲにのみＲ成分が転送され、シェーディングＲＡＭ１６Ｇ、１６Ｂに対しては、Ｇ成分、Ｂ成分のシェーディングデータの再書き込みは行われない。次に、ステップＳＴ７へ移行する。
【００２８】
ステップＳＴ７においては、Ｒ信号処理部１１Ｒ、Ｇ信号処理部１１Ｇ、Ｂ信号処理部１１Ｂで、カラーの原稿の読み取り処理を実行する。次に、ステップＳＴ８へ移行する。ステップＳＴ８においては、読み取りデータを出力する。具体的には、プリンタ７か、外部のＰＣへ出力するか、自装置のメモリに蓄積記憶する。
【００２９】
なお、上記実施形態では、Ｒ信号処理部１１Ｒのみ動作させ、シェーディングＲＡＭ１６Ｒに原稿幅検知時の取り込み波形データを記憶しているが、これに代えて、他のＧ信号処理部１１Ｇ、Ｂ信号処理部１１Ｂを動作させて、シェーディングＲＡＭ１６Ｇ、あるいは１６Ｂにのみ記憶するようにしても良い。
【００３０】
また、上記実施形態では、ＲＧＢ成分のラインセンサが副走査方向に物理的間隔をおいて、並設されている例（２成分をライン補正メモリで遅延させる例）を示したが、同じラインのデータを３成分同時に得ることができるタイプにも適用できる。
【００３１】
【発明の効果】
この発明によれば、原稿検知時、複数の色成分の出力データのうち、一部の色成分の出力データの取り込みを行って、その出力データにより、原稿サイズを検出し、残りの色成分の出力データについては、取り込みを行わないようにするので、読み取りデータがカラーでも、原稿サイズ検知用データを記憶するメモリは小容量でよく、原稿サイズ検知の処理時間を最小限とできる。
【００３２】
また、原稿サイズ検知時の出力データの取り込み先を、シェーディング補正データが記憶されるシェーディングメモリとすることにより、原稿サイズ検知のために特別のメモリを備えることが不要となる。
【図面の簡単な説明】
【図１】この発明の一実施形態である画像読取装置の構成例を示すブロック図である。
【図２】同実施形態画像読取装置の画像読取部の構成を示すブロック図である。
【図３】同実施形態画像読取装置の画像読取部の光学系を示す概略図である。
【図４】同実施形態画像読取装置のＦＢＳ読取処理を説明するフロー図である。
【図５】同実施形態画像読取装置のシステムのシェーディングデータ記憶部と画像読取部のシェーディングＲＡＭの関係を説明するブロック図である。
【符号の説明】
１                        ＭＰＵ
２                        画像読取部
３                        操作部
４                        表示部
５                        ＲＯＭ
６                        ＲＡＭ
６ａ                      シェーディングデータ記憶部
７                        プリンタ
８                        システムバス
１１Ｒ、１１Ｇ、１１Ｂ    信号処理部
１２Ｒ、１２Ｇ、１２Ｂ    ラインイメージセンサ
１３Ｒ、１３Ｇ、１３Ｂ    ＡＦＥ回路
１４Ｒ、１４Ｇ、１４Ｂ    Ａ／Ｄ変換器
１５Ｒ、１５Ｇ、１５Ｂ    シェーディング補正回路
１６Ｒ、１６Ｇ、１６Ｂ    シェーディングＲＡＭ
１７Ｒ、１６Ｇ            ライン補正メモリ
３１                      原稿台
３２                      原稿
３３                      白基準板
３５                      ランプ
３７                      走査ユニット
【図１】
2004349996.tif 000003
【図２】
2004349996.tif 000004
【図３】
2004349996.tif 000005
【図４】
2004349996.tif 000006
【図５】
2004349996.tif 000007